(57)【要約】【課題】主画像を投影するプロジェクタと副画像を投影するプロジェクタとの切り替えを容易に行うことのできるプロジェクタシステムの提供。【解決手段】一のプロジェクタ１は、主画像１１及び副画像１２の画像データを有する画像データ群を取得する画像取得部、一つの画像データに基づいた画像を投影させ残りの画像データを他のプロジェクタ１へ送信する画像データ処理部、マウス操作情報を取得する操作情報取得部、マウス操作情報に基づきカーソル画像５の移動位置を算出するカーソル位置演算部、カーソル画像５が自装置の投影部１０７の投影領域４０内にあるとき当該カーソル画像５を投影させ、他のプロジェクタ１の投影領域４０内にあるとき当該他のプロジェクタ１にカーソル移動位置の情報を送信するカーソル処理部を備え、画像データ処理部は取得したマウス操作情報に基づき主画像１１を投影させるプロジェクタ１を切り替えるプロジェクタシステムＳ。【選択図】図１
2009087101.tif 000002
【特許請求の範囲】
【請求項１】
相互に通信可能な複数のプロジェクタを備え、前記複数のプロジェクタの投影領域間でカーソル画像を移動可能としたプロジェクタシステムであって、
前記複数のプロジェクタのうち一のプロジェクタは、
主画像の画像データと副画像の画像データとを有する画像データ群を外部装置から取得する画像取得部と、
前記取得した画像データ群の画像データのうち、一つの画像データに基づいた画像を投影部から投影させ、残りの画像データを前記他のプロジェクタへ送信して当該画像データに応じた画像を投影させる画像データ処理部と、
前記外部装置からマウス操作情報を取得する操作情報取得部と、
前記取得したマウス操作情報に基づいて、前記カーソル画像の移動位置を算出するカーソル位置演算部と、
前記カーソル画像の移動位置が自装置の投影部の投影領域内であるとき、当該カーソル画像を前記投影部により投影させ、前記カーソル画像の移動位置が他のプロジェクタの投影領域内にあるとき、当該他のプロジェクタに前記カーソル移動位置の情報を送信するカーソル処理部と、を備え、
前記画像データ処理部は、前記取得したマウス操作情報に基づいて、主画像を投影させるプロジェクタを切り替えるプロジェクタシステム。
【請求項２】
前記画像データ処理部は、
前記複数のプロジェクタのうち、前記主画像を投影させているプロジェクタの投影領域に前記カーソル画像の移動位置がないときに、前記カーソル画像を投影しているプロジェクタから前記主画像を投影させ、残りのプロジェクタから前記副画像を投影させて、前記主画像を投影するプロジェクタの切り替えを行う
ことを特徴とする請求項１に記載のプロジェクタシステム。
【請求項３】
前記画像データ処理部は、
所定の契機で、前記主画像を投影するプロジェクタの切り替えを行う
ことを特徴とする請求項２に記載のプロジェクタシステム。
【請求項４】
前記所定の契機は、前記操作情報取得部により、マウスのクリック操作を示すマウス操作情報を取得したときである
ことを特徴とする請求項３に記載のプロジェクタシステム。
【請求項５】
前記所定の契機は、前記画像取得部により外部装置から新たに取得した画像データ群の各画像データを投影部で投影するときとする
ことを特徴とする請求項３又は請求項４に記載のプロジェクタシステム。
【請求項６】
相互に通信可能な複数のプロジェクタを備え、前記複数のプロジェクタの投影領域間でカーソル画像を移動可能としたプロジェクタシステムにおける一のプロジェクタは、
主画像の画像データと副画像の画像データとを有する画像データ群を外部装置から取得する画像取得部と、
前記取得した画像データ群の画像データのうち、一つの画像データに基づいた画像を投影部から投影させ、残りの画像データを前記他のプロジェクタへ送信して当該画像データに応じた画像を投影させる画像データ処理部と、
前記外部装置からマウス操作情報を取得する操作情報取得部と、
前記取得したマウス操作情報に基づいて、前記カーソル画像の移動位置を算出するカーソル位置演算部と、
前記カーソル画像の移動位置が自装置の投影部の投影領域内であるとき、当該カーソル画像を前記投影部により投影させ、前記カーソル画像の移動位置が他のプロジェクタの投影領域内にあるとき、当該他のプロジェクタに前記カーソル移動位置の情報を送信するカーソル処理部と、を備え、
前記画像データ処理部は、前記取得したマウス操作情報に基づいて、主画像を投影させるプロジェクタを切り替えるプロジェクタ。
【発明の詳細な説明】
【技術分野】
【０００１】
本発明は、相互に通信可能な複数のプロジェクタを備えたプロジェクタシステム及びこれに用いられるプロジェクタに関し、特に、他のプロジェクタと連携して、互いに関連する複数の画像を投影するプロジェクタシステム及びこれに用いられるプロジェクタに関する。
【背景技術】
【０００２】
従来より、プレゼンテーション等においては、２台以上のプロジェクタを用い、一方のプロジェクタでは、プレゼンテーション用のスライド画像などの主画像を投影し、他方のプロジェクタでは、その主画像に対する補助的な画像を副画像として投影しようとする場合がある。このような場合のために、複数のプロジェクタのうち、一方をマスタとして動作するプロジェクタ（マスタプロジェクタ）として設定し、他方をスレーブとして動作するプロジェクタ（スレーブプロジェクタ）として設定し、マスタプロジェクタは、主画像を投影するとともに、スレーブプロジェクタに投影される副画像の画像データを選択して送信し、スレーブプロジェクタは、受信された画像データに基づく副画像を投影して、主画像と副画像との同期をとるシステムが開示されている（例えば、特許文献１参照）。
【特許文献１】特開２００６−１６５９４９号公報
【発明の開示】
【発明が解決しようとする課題】
【０００３】
しかしながら、特許文献１に記載の発明は、どのプロジェクタをマスタプロジェクタとして動作させ、どのプロジェクタをスレーブプロジェクタとして動作させるかを初期設定として予め設定しておく必要があり、さらに、マスタプロジェクタからは主画像しか投影できず、スレーブプロジェクタからは副画像しか投影できないため、主画像を投影するプロジェクタと副画像を投影するプロジェクタとを切り替えるためには初期設定から変更し直す必要があり、当該操作はユーザにとって煩雑なものであった。
【０００４】
そこで、本発明は、主画像を投影するプロジェクタと副画像を投影するプロジェクタとの切り替えを容易に行うことのできるプロジェクタシステム及びこれに用いられるプロジェクタを提供することを目的とするものである。
【課題を解決するための手段】
【０００５】
上記課題を解決するために、請求項１に記載の発明は、相互に通信可能な複数のプロジェクタを備え、前記複数のプロジェクタの投影領域間でカーソル画像を移動可能としたプロジェクタシステムであって、前記複数のプロジェクタのうち一のプロジェクタは、主画像の画像データと副画像の画像データとを有する画像データ群を外部装置から取得する画像取得部と、前記取得した画像データ群の画像データのうち、一つの画像データに基づいた画像を投影部から投影させ、残りの画像データを前記他のプロジェクタへ送信して当該画像データに応じた画像を投影させる画像データ処理部と、前記外部装置からマウス操作情報を取得する操作情報取得部と、前記取得したマウス操作情報に基づいて、前記カーソル画像の移動位置を算出するカーソル位置演算部と、前記カーソル画像の移動位置が自装置の投影部の投影領域内であるとき、当該カーソル画像を前記投影部により投影させ、前記カーソル画像の移動位置が他のプロジェクタの投影領域内にあるとき、当該他のプロジェクタに前記カーソル移動位置の情報を送信するカーソル処理部と、を備え、前記画像データ処理部は、前記取得したマウス操作情報に基づいて、主画像を投影させるプロジェクタを切り替えるプロジェクタシステムとした。
【０００６】
また、請求項２に記載の発明は、請求項１に記載の発明において、前記画像データ処理部は、前記複数のプロジェクタのうち、前記主画像を投影させているプロジェクタの投影領域に前記カーソル画像の移動位置がないときに、前記カーソル画像を投影しているプロジェクタから前記主画像を投影させ、残りのプロジェクタから前記副画像を投影させて、前記主画像を投影するプロジェクタの切り替えを行うことを特徴とする。
【０００７】
また、請求項３に記載の発明は、請求項２に記載の発明において、前記画像データ処理部は、所定の契機で、前記主画像を投影するプロジェクタの切り替えを行うことを特徴とする。
【０００８】
また、請求項４に記載の発明は、請求項３に記載の発明において、前記所定の契機は、前記操作情報取得部により、マウスのクリック操作を示すマウス操作情報を取得したときであることを特徴とする。
【０００９】
また、請求項５に記載の発明は、請求項３又は請求項４に記載の発明において、前記所定の契機は、前記画像取得部により外部装置から新たに取得した画像データ群の各画像データを投影部で投影するときとすることを特徴とする。
【００１０】
また、請求項６に記載の発明は、相互に通信可能な複数のプロジェクタを備え、前記複数のプロジェクタの投影領域間でカーソル画像を移動可能としたプロジェクタシステムにおける一のプロジェクタは、主画像の画像データと副画像の画像データとを有する画像データ群を外部装置から取得する画像取得部と、前記取得した画像データ群の画像データのうち、一つの画像データに基づいた画像を投影部から投影させ、残りの画像データを前記他のプロジェクタへ送信して当該画像データに応じた画像を投影させる画像データ処理部と、前記外部装置からマウス操作情報を取得する操作情報取得部と、前記取得したマウス操作情報に基づいて、前記カーソル画像の移動位置を算出するカーソル位置演算部と、前記カーソル画像の移動位置が自装置の投影部の投影領域内であるとき、当該カーソル画像を前記投影部により投影させ、前記カーソル画像の移動位置が他のプロジェクタの投影領域内にあるとき、当該他のプロジェクタに前記カーソル移動位置の情報を送信するカーソル処理部と、を備え、前記画像データ処理部は、前記取得したマウス操作情報に基づいて、主画像を投影させるプロジェクタを切り替えるプロジェクタとした。
【発明の効果】
【００１１】
請求項１及び請求項６に記載の発明によれば、ユーザは、主画像を投影するプロジェクタと副画像を投影するプロジェクタとの切り替え操作をカーソル画像の操作と関連付けて行うことができるため、当該切り替え操作を容易に行うことができる。
【００１２】
請求項２に記載の発明によれば、ユーザは、主画像を投影するプロジェクタの切り替えをカーソル画像の移動操作のみで行うことができる。
【００１３】
請求項３に記載の発明によれば、画像データ処理部は、所定の契機で、カーソル画像を投影しているプロジェクタから主画像を投影させ、残りのプロジェクタから副画像を投影させて、主画像を投影するプロジェクタの切り替えを行うこととしたため、単にカーソル画像を移動させたいとき等、ユーザの意図しない場合にまでプロジェクタの切り替えが行われることを防止することができる。
【００１４】
請求項４に記載の発明によれば、主画像を投影させたいプロジェクタの投影領域にカーソル画像を移動させ、さらにクリック操作を行わなければ主画像を投影するプロジェクタの切り替えは行われないため、ユーザは、プロジェクタを切り替える前の確認ができる他、当該切り替えをユーザの意図したタイミングで行うことができ、当該切り替え操作の操作性を向上させることができる。
【００１５】
請求項５に記載の発明によれば、新たな画像データ群の各画像データを投影部で投影するときに、カーソル画像を投影しているプロジェクタから主画像を投影させ、残りのプロジェクタから副画像を投影させて、主画像を投影するプロジェクタの切り替えを行うこととしたため、例えば、主画像を投影させたいプロジェクタの投影領域に予めカーソル画像を位置させておくことにより、新たな画像データ群の各画像データを投影部で投影した際に、主画像を投影させたいプロジェクタの投影領域に初めから当該主画像が投影された状態とすることができる。
【発明を実施するための最良の形態】
【００１６】
［１．プロジェクタシステムの概要］
以下に、本発明に係るプロジェクタシステムの一実施の形態について、図面を参照して具体的に説明する。図１は本実施形態にかかるプロジェクタシステムＳの概略的なシステム構成を示す図であり、図２は本実施形態のプロジェクタシステムＳにおける、主画像を投影するプロジェクタが切り替わる様子を示した図である。
【００１７】
本実施形態にかかるプロジェクタシステムＳは、図１に示すように、４台のプロジェクタ１ａ〜１ｄを備えている。これら４台のプロジェクタ１ａ〜１ｄは、画像をスクリーン上に投影する同型の画像投影装置であり、これらは、通信経路３としての有線ＬＡＮを介して相互に通信可能に接続されている。また、４台のプロジェクタ１ａ〜１ｄのうちプロジェクタ１ａには、外部装置としての端末装置２が、通信経路４としてのＵＳＢケーブルを介して接続されている。この端末装置２は、プレゼンテーション用のスライド画像などの主画像１１及びその主画像１１に対する補助的な画像である副画像１２ａ〜１２ｃの画像データからなる画像データ群を保有しており、プロジェクタ１ａは、通信経路４を介してこの画像データ群を取得する。なお、外部装置としては、端末装置２の代わりに、ＵＳＢメモリ等であってもよい。
【００１８】
また、本実施形態にかかるプロジェクタシステムＳは、これら複数のプロジェクタ１ａ〜１ｄの投影領域４０ａ〜４０ｄ間でカーソル画像５が移動可能に構成されている。
【００１９】
すなわち、端末装置２と接続しているプロジェクタ１ａは、外部装置としての端末装置２或いはリモコン装置（図示しない）によりなされた操作の情報をマウス操作情報として取得し、当該マウス操作情報に基づきカーソル画像５の表示の更新を行うとともに、他のプロジェクタ１ｂ〜１ｄに対して取得したマウス操作情報に基づくカーソル画像５の位置情報を送信する。これにより、これら外部装置による操作に基づいて各プロジェクタ１ａ〜１ｄの投影領域４０ａ〜４０ｄ間でカーソル画像５を移動させることが可能となる。なお、各プロジェクタ１は、リモコン装置との無線通信を行うための赤外線通信部を有しており、マスタプロジェクタとして設定されたプロジェクタ１は、この赤外線通信部を介してリモコン装置からマウス操作情報を取得する。
【００２０】
ここで、本実施形態では、４台のプロジェクタ１ａ〜１ｄが相互に接続されている場合について説明するが、接続されるプロジェクタの数はこれに限ったものではない。また、以下において、４台のプロジェクタ１ａ〜１ｄのうち任意の一つを表す場合にはプロジェクタ１と表現することがあり、各プロジェクタ１ａ〜１ｄの投影領域４０ａ〜４０ｄのうち任意の一つを表す場合には投影領域４０と表現することがあり、副画像１２ａ〜１２ｃのうち任意の一つを表す場合には副画像１２と表現することがある。
【００２１】
本実施形態にかかるプロジェクタシステムＳは、各プロジェクタ１のうち、画像データ群を取得したプロジェクタ１が主画像１１を投影するマスタプロジェクタとして動作し、残りのプロジェクタ１は、スレーブプロジェクタとして、マスタプロジェクタからの情報に応じて動作する。すなわち、画像データ群やマウス操作情報の取得、各プロジェクタ１で投影される画像データの管理、或いは、カーソル画像５の位置情報の管理等はマスタプロジェクタのみが行い、スレーブプロジェクタは、マスタプロジェクタから送信される画像データやマウス操作情報に基づいて副画像１２やカーソル画像５の投影表示を行う。
【００２２】
なお、本実施形態においては、端末装置２と接続しているプロジェクタ１ａがマスタプロジェクタとして動作し、その他のプロジェクタ１ｂ〜１ｄがスレーブプロジェクタとして動作することとなり、プロジェクタ１ａは、端末装置２から画像データ群を取得すると、その投影領域４０ａに主画像１１を投影するとともに、副画像１２の画像データをプロジェクタ１ｂ〜１ｄに送信し、プロジェクタ１ｂ〜１ｄは、取得した画像データに基づいて各投影領域４０ｂ〜４０ｄにそれぞれ副画像１２ａ〜１２ｃを投影する。
【００２３】
そして、本実施形態にかかるプロジェクタシステムＳは、取得したマウス操作情報に基づき、主画像１１を投影させるプロジェクタ１の切り替えを行うことを可能としており、特に、複数のプロジェクタ１のうち、主画像１１を投影させているプロジェクタ１の投影領域４０にカーソル画像５がないときに、所定の契機で、カーソル画像５を投影しているプロジェクタ１から主画像１１を投影させ、残りのプロジェクタから副画像１２を投影させて、主画像１１を投影するプロジェクタ１の切り替えを行うこととしている。
【００２４】
すなわち、本実施形態にかかるプロジェクタシステムＳは、例えば、図２（ａ）に示すように、マスタプロジェクタとして動作しているプロジェクタ１ａが主画像１１を投影し、スレーブプロジェクタとして動作するその他のプロジェクタ１ｂ、１ｃ、１ｄがそれぞれ副画像１２ａ、１２ｂ、１２ｃを投影している状態において、端末装置２から取得したマウス操作情報に基づいてカーソル画像５をプロジェクタ１ｃの投影領域４０ｃへ移動させた場合（すなわち、カーソル画像５がプロジェクタ１ｃの投影領域４０ｃにある場合）、所定の契機で、プロジェクタ１ａで投影している主画像１１とプロジェクタ１ｃで投影している副画像１２ｂとを切り替えることにより、主画像１１を投影するプロジェクタ１の切り替えを行う。これにより、図２（ｂ）に示すように、カーソル画像５を投影しているプロジェクタ１ｃの投影領域４０ｃに主画像１１が投影され、プロジェクタ１ａの投影領域４０ａに副画像１２ｂが投影された状態となる。
【００２５】
このように、本実施形態にかかるプロジェクタシステムＳは、マウス操作情報に基づいて主画像１１を投影するプロジェクタ１を切り替える構成とし、ユーザは、主画像１１を投影するプロジェクタ１と副画像１２を投影するプロジェクタ１との切り替え操作をカーソル画像５の操作に関連付けて行うことにより、当該切り替え操作を容易に行うことができる。
【００２６】
また、マスタプロジェクタとして動作するプロジェクタ１とスレーブプロジェクタとして動作するプロジェクタ１とを切り替えることなく主画像１１を投影するプロジェクタ１を切り替えることができるため、主画像１１を投影させるプロジェクタを切り替える際に、端末装置２等の外部装置を接続し直す必要がない。
【００２７】
ここで、本実施形態にかかるプロジェクタシステムＳでは、所定の契機を、プロジェクタ１ａがマウスのクリック操作を示すマウス操作情報を取得したときとしている。すなわち、図２（ａ）に示す状態において、ユーザが端末装置２に設けられたマウスのクリック操作を行うことにより、図２（ｂ）に示すように、主画像１１を投影するプロジェクタ１の切り替えが行われる。なお、本実施形態において、このクリック操作は、マウスの左右に設けられたボタンのうち左側のボタンを１回押下する操作とするが、この他、左右のボタンを同時に押下する操作や左右いずれかのボタン或いは両方のボタンを連打する等の操作であってもよい。
【００２８】
また、本実施形態にかかるプロジェクタシステムＳは、所定の契機として、端末装置２から新たに取得した画像データ群を投影するときにも、主画像１１を投影するプロジェクタ１の切り替えを行うこととしている。
【００２９】
［２．プロジェクタの構成について］
次に、プロジェクタ１の構成について説明する。図３は本実施形態におけるプロジェクタ１の構成図であり、図４は本実施形態におけるプロジェクタ１に記憶される表示設定リストの一例を示す図であり、図５は本実施形態における各プロジェクタ１の投影領域４０に規定される座標を示す図であり、図６は本実施形態におけるプロジェクタ１のカーソル表示位置設定の一例を示す図である。
【００３０】
プロジェクタ１は、図３に示すように、各種操作を行うための操作パネル１０１と、設定情報や画像データ群などを保持するための不揮発性メモリである記憶部１０２と、リモコン装置との赤外線による無線通信を行う赤外線通信部１０３と、他のプロジェクタ１と通信するためのＬＡＮインターフェイス１０４と、外部から映像信号を入力する映像信号入力回路１０５と、映像信号入力回路１０５を介して入力される映像信号やＬＡＮインターフェイス１０４或いはＵＳＢインターフェイス１０９を介して取得した画像データに所定の処理を施す画像処理回路１０６と、この画像処理回路１０６から出力される画像信号に基づいた画像を投影する投影部１０７と、プロジェクタ１全体を制御する制御部１０８と、外部装置としての端末装置２等と通信するためのＵＳＢインターフェイス１０９とを備えており、これらはハウジングに内蔵される。
【００３１】
操作パネル１０１は、各種操作を行うためのボタンや表示部（例えば、ＬＣＤ）などから構成され、プロジェクタ１において使用者がこの操作パネル１０１を操作することによって、その操作内容に応じた制御を制御部１０８が実行することになる。
【００３２】
記憶部１０２は、フラッシュメモリ（flash memory）やハードディスクなどから構成され、端末装置２から取得した画像データ群又はマスタプロジェクタから取得した画像データ、カーソル画像５の画像データを記憶する他、表示設定リスト、カーソル表示位置設定等を記憶する。
【００３３】
赤外線通信部１０３は、赤外線ＬＥＤなどから構成される赤外線受光部１３１と、赤外線受光部１３１により受信した赤外線信号をデータに変換する処理を行う赤外線制御部１３２とを備えている。
【００３４】
ＬＡＮインターフェイス１０４は、通信経路３としての有線ＬＡＮを介して他のプロジェクタ１と通信するときに制御部１０８によって用いられる。なお、通信経路３として、無線ＬＡＮやＵＳＢケーブルを利用することもできる。
【００３５】
ＵＳＢインターフェイス１０９は、通信経路４としてのＵＳＢケーブルを介して端末装置２から画像データ群やマウス操作情報等を取得するときに制御部１０８によって用いられる。なお、通信経路４として、有線ＬＡＮや無線ＬＡＮなどの通信ネットワークを利用することもできる。
【００３６】
映像信号入力回路１０５は、コンポジット映像信号（例えばＮＴＳＣ映像信号）やコンポーネント映像信号（例えばＲＧＢ信号）などの映像信号を入力する。
【００３７】
画像処理回路１０６は、制御部１０８による制御に基づいて、映像信号入力回路１０５に入力された映像信号或いはＬＡＮインターフェイス１０４を介して取得した画像データ群のうちの一の画像データに対して、カーソル画像５の画像データとの合成等の加工を行う。このように加工されて生成された画像信号は、投影部１０７に入力される。
【００３８】
投影部１０７は、光源駆動回路１２０と、光源１２１と、照明光学系１２２と、透過型液晶パネル１２３（以下、「ＬＣＤ１２３」とする。）と、結像光学系１２４と、ＬＣＤ駆動回路１２５と、ピント調整機構１２６とを備えている。
【００３９】
光源１２１は、ランプなどから構成され、制御部１０８によって制御された光源駆動回路１２０から出力される信号に基づいて、点灯駆動されて発光する。光源１２１で発光された光は、照明光学系１２２によって、照明光としてＬＣＤ１２３に照射される。
【００４０】
ＬＣＤ１２３は、ＬＣＤ駆動回路１２５によって駆動され、その表示面に映像を表示する。このように表示された映像は、照明光学系１２２を介して光源１２１から出射される照明光によって照明され、これにより画像光が生成される。続いて、この画像光は、結像光学系１２４及びハウジングの投影用開口部（図示せず）を通って、スクリーン（投射面）に投影される。このように、ＬＣＤ１２３に表示される画像がスクリーンに投影される構成となっている。なお、ピント調整機構１２６によって、スクリーンに投影する画像のピントを調整することができる。
【００４１】
制御部１０８は、ＣＰＵ(Central Processing Unit)，ＲＯＭ（Read Only Memory)，ＲＡＭ（Random Access Memory)などを内蔵しており、ＣＰＵがＲＯＭに予め格納されたプログラムを読み出して実行することによって、画像取得部、画像データ処理部、操作情報取得部、カーソル位置演算部、カーソル処理部等として機能する。なお、制御部１０８は、プロジェクタ１がマスタプロジェクタとして動作している場合のみ、カーソル位置演算部、カーソル処理部として機能する。
【００４２】
制御部１０８は、画像取得部として機能することにより、主画像１１の画像データと副画像１２の画像データとを有する画像データ群をＵＳＢケーブルを介して端末装置２から取得する。取得した画像データ群は、記憶部１０２の所定の領域に記憶される。
【００４３】
また、制御部１０８は、取得した画像データ群に含まれる画像の数に基づいて、表示設定リストの更新を行う。この表示設定リストは、主画像１１及び各副画像１２をどのプロジェクタ１で投影するかを設定するためのものであり、図４に示すように、どの画像を投影するかが各プロジェクタ１のＩＤと関連付けられて記憶されている。
【００４４】
なお、プロジェクタ１には、当該プロジェクタ１が接続した順にそれぞれ「ＰＪ１」→「ＰＪ２」→「ＰＪ３」→「ＰＪ４」のＩＤが割り当てられる。例えば、本実施形態においては、「ＰＪ１」はプロジェクタ１ａに、「ＰＪ２」はプロジェクタ１ｂに、「ＰＪ３」はプロジェクタ１ｃに、「ＰＪ４」はプロジェクタ１ｄに割り当てられたＩＤである。
【００４５】
ここで、画像データ群は、どの画像が主画像１１であるかが予め設定されているとともに、投影する副画像１２の優先度も予め設定されている。投影する副画像１２の優先度とは、プロジェクタ１の台数が画像データ群に含まれる画像データの数よりも少ない場合に、どの副画像１２から優先的に投影するかを決定するための情報である。例えば、図４の表示設定リストにおいては、副画像１２の優先度は「副画像１」が一番高く、「副画像２」→「副画像３」の順に低くなる。すなわち、図４の表示設定リストにおいて、取得した画像データ群に基づく各画像のうち、どの画像が「主画像」、「副画像１」、「副画像２」、「副画像３」に対応するものであるかは、画像データ群ごとに予め設定されている。
【００４６】
そして、制御部１０８は、取得した画像データ群に含まれる画像の数が現在設定されている画像の数よりも多い場合は、表示設定リストの所定の欄を当該画像が増えた分だけ追加し、逆に、少ない場合は、表示設定リストの所定の欄を当該画像が減った分だけ削除する。
【００４７】
なお、表示設定リストは、マスタプロジェクタとして動作しているプロジェクタ１のみが有する情報である。
【００４８】
また、制御部１０８は、画像データ処理部として機能することにより、取得した画像データ群の画像データのうち、一つの画像データに基づいた画像を投影部１０７から投影させ、残りの画像データを他のプロジェクタ１へ有線ＬＡＮを介して送信して当該画像データに応じた画像を投影させる。
【００４９】
なお、この処理は、プロジェクタ１がマスタプロジェクタとして動作している場合にのみ行われるものであり、主画像１１を投影させるプロジェクタ１を切り替える前において、マスタプロジェクタとして動作しているプロジェクタ１の制御部１０８は、主画像１１を投影部１０７から投影させ、副画像１２の画像データをスレーブプロジェクタとして動作している他のプロジェクタ１へ有線ＬＡＮを介して送信する。また、スレーブプロジェクタとして動作しているプロジェクタ１の制御部１０８は、マスタプロジェクタから副画像１２の画像データを受信し、受信した画像データに基づく副画像１２を投影する。
【００５０】
また、制御部１０８は、操作情報取得部として機能することにより、端末装置２からマウス操作情報を取得する。ここで、マウス操作情報とは、端末装置２に設けられたマウスによる移動操作やクリック操作などの操作に応じた情報である。なお、マウスとは、プロジェクタ１の投影領域４０に投影されている画像を指示するためのカーソル画像を操作するものである。なお、マウス操作情報を送信する外部装置としては、端末装置２のほか、リモコン装置であってもよい。リモコン装置は、当該リモコン装置に設けられた操作キーの操作に応じたマウス操作情報を赤外線通信によりプロジェクタ１へ送信する。
【００５１】
なお、この処理は、プロジェクタ１がマスタプロジェクタとして動作している場合にのみ行われるものであり、プロジェクタ１がスレーブプロジェクタとして動作している場合、制御部１０８は、操作情報取得部として機能することにより、マスタプロジェクタがマウス操作情報に基づき算出したカーソル移動位置の情報を受信する。当該制御部１０８は、カーソル移動位置の情報を受信すると、当該情報に基づいてカーソル画像５の表示の更新を行う。
【００５２】
また、プロジェクタ１がマスタプロジェクタとして動作している場合において、制御部１０８は、カーソル位置演算部として機能することにより、取得したマウス操作情報に基づいて、カーソル画像５の移動位置を算出する。なお、プロジェクタ１がスレーブプロジェクタとして動作している場合、制御部１０８は、カーソル位置演算部として機能することはない。
【００５３】
すなわち、制御部１０８は、マウス操作情報に含まれる、マウスのＸ方向及びＹ方向への移動量の情報に基づき、カーソル画像５の移動後の座標を算出する。
【００５４】
ここで、各プロジェクタ１ａ〜１ｄの投影領域４０ａ〜４０ｄには、各投影領域４０ａ〜４０ｄに連続した座標が規定されている。すなわち、本実施形態においては、図５に示すように、プロジェクタ１ａの投影領域４０ａには（Ｘ，Ｙ）＝（０，０）〜（１２００，１２００）までの座標が規定され、プロジェクタ１ｂの投影領域４０ｂには（Ｘ，Ｙ）＝（０，１２００）〜（１２００，２４００）までの座標が規定され、プロジェクタ１ｃの投影領域４０ｃには（Ｘ，Ｙ）＝（０，２４００）〜（１２００，３６００）までの座標が規定され、プロジェクタ１ｄの投影領域４０ｄには（Ｘ，Ｙ）＝（０，３６００）〜（１２００，４８００）までの座標が規定されており、これにより、各プロジェクタ１ａ〜１ｄがプロジェクタ１ａを一番下にしてプロジェクタ１ｂ、１ｃ、１ｄの順に仮想的に連続した状態となっている。
【００５５】
そして、例えば、カーソル画像５が（Ｘ，Ｙ）＝（８００，８００）にある場合において、端末装置２からマウス操作情報としてＸ方向に１００、Ｙ方向に１０００移動したという情報を取得した場合、制御部１０８は、これらの情報に基づいてカーソル画像５の移動後の位置座標（Ｘ，Ｙ）＝（９００，１８００）を算出する。
【００５６】
なお、本実施形態では、図５に示すように、各プロジェクタ１が縦積みされた状態としているが、各プロジェクタ１の載置方法はこれに限るものではない。例えば、横一列に並べて載置してもよく、かかる場合、各プロジェクタ１の座標は、各プロジェクタ１が横方向に仮想的に接続されるように規定される。なお、各投影領域４０ａ〜４０ｄは必ずしも隣設する必要はなく、各投影領域４０ａ〜４０ｄ間に隙間があってもよい。この場合であっても座標は連続して規定される。
【００５７】
また、制御部１０８は、算出したカーソル移動位置の情報に基づいて、記憶部１０２の所定領域に記憶されているカーソル表示位置設定の更新を行う。
【００５８】
カーソル表示位置設定は、図６に示すように、カーソル画像の位置座標が各プロジェクタ１のＩＤと関連付けられて記憶されている。なお、カーソル表示位置設定において、各プロジェクタ１の投影領域４０におけるカーソル画像５の位置を管理するのはマスタプロジェクタとして動作しているプロジェクタ１の制御部１０８のみであり、スレーブプロジェクタとして動作しているプロジェクタ１の制御部１０８は、自己の投影領域４０にあるカーソル画像５の位置情報のみを管理する。
【００５９】
また、制御部１０８は、カーソル処理部として機能することにより、カーソル画像５の移動位置が自装置の投影部１０７の投影領域４０内であるとき、当該カーソル画像５を投影部１０７により投影させ、カーソル画像５の移動位置が他のプロジェクタ１の投影領域４０内にあるとき、当該他のプロジェクタ１にカーソル移動位置の情報を有線ＬＡＮを介して送信する。
【００６０】
また、制御部１０８は、画像データ処理部として機能することにより、取得したマウス操作情報に基づいて、主画像１１を投影させるプロジェクタを切り替える。
【００６１】
すなわち、本実施形態において、制御部１０８は、取得したマウス操作情報に基づき、複数のプロジェクタ１のうち、主画像１１を投影させているプロジェクタ１の投影領域４０にカーソル画像５がないときに、所定の契機で、カーソル画像５を投影しているプロジェクタ１から主画像１１を投影させ、残りのプロジェクタから副画像１２を投影させて、主画像１１を投影するプロジェクタ１の切り替えを行うこととしている。
【００６２】
ここで、本実施形態において、所定の契機は、操作情報取得部により、マウスのクリック操作を示すマウス操作情報を取得したとき、又は、端末装置２から新たに取得した画像データ群の各画像データを投影部１０７で投影するときとしている。
【００６３】
［３．プロジェクタの具体的動作について］
次に、プロジェクタ１の具体的動作の一例について、図７〜図１１を参照して説明する。図７は本実施形態におけるプロジェクタ１のメイン処理フローチャートである。
【００６４】
図７に示すように、プロジェクタ１の電源スイッチ（図示せず）が押下されたとき、プロジェクタ１の制御部１０８は、通信経路３を介して通信可能な他のプロジェクタ１の探索を行う（ステップＳ１００）。ここで、通信可能な他のプロジェクタ１が検出されなかった場合、制御部１０８は、自己のプロジェクタ１のＩＤを「ＰＪ１」として設定する。また、通信可能な他のプロジェクタ１を検出した場合において、自己のプロジェクタ１のＩＤがまだ設定されていない場合、制御部１０８は、検出したプロジェクタ１の台数に応じて自己のプロジェクタ１のＩＤを設定する。例えば、検出したプロジェクタ１の台数が２台である場合、制御部１０８は、自己のプロジェクタ１のＩＤを「ＰＪ３」として設定する。また、制御部１０８は、検出したプロジェクタ１の台数に応じて、自己の投影領域４０に規定される座標の設定を行う。
【００６５】
次に、自己のプロジェクタ１に外部装置としての端末装置２から画像データ群が供給されているか否かを判定する（ステップＳ１０１）。この処理において、端末装置２から画像データ群が供給されていると判定すると（ステップＳ１０１：Ｙｅｓ）、制御部１０８は、マスタ処理を行う（ステップＳ１０２）。このマスタ処理は、マスタプロジェクタとして、スレーブプロジェクタに対する副画像１２ａ〜１２ｃの画像データやマウス操作情報の送信や、主画像１１を投影するプロジェクタの切り替えを行うものである。この処理は、図８のステップＳ２００〜２１６までの処理であり、後述する。
【００６６】
一方、ステップＳ１０１において、端末装置２から画像データ群が供給されていないとき（ステップＳ１０１：Ｎｏ）、制御部１０８は、スレーブ処理を行う（ステップＳ１０３）。このスレーブ処理は、マスタプロジェクタから送信される画像データやカーソル画像５の移動位置の情報に基づき、投影表示の変更を行うものである。この処理は、図９のステップＳ２５０〜２５４までの処理であり、後述する。
【００６７】
ステップＳ１０２或いはステップＳ１０３の処理を終えると、制御部１０８は、投影終了操作がなされたか否かの判定を行う（ステップＳ１０４）。この判定は、操作パネル１０１或いは図示しないリモコン装置等により投影終了操作が入力されたか否かにより判定されるものである。この処理において、投影終了操作がなされていないとき（ステップＳ１０４：Ｎｏ）、制御部１０８は、処理をステップＳ１００に移行する。一方、投影終了操作がなされたと判定すると（ステップＳ１０４：Ｙｅｓ），制御部１０８は、メイン処理を終了する。
【００６８】
次に、ステップＳ１０２におけるマスタ処理について、図８、図９を用いて具体的に説明する。図８は本実施形態におけるマスタ処理フローチャートであり、図９は本実施形態におけるカーソル移動位置情報送信処理フローチャートである。
【００６９】
図８に示すように、マスタ処理フローチャートを開始すると、制御部１０８は、端末装置２から取得した画像データ群が未投影か否かを判定する（ステップＳ２００）。この処理において、画像データ群が未投影であると判定すると（ステップＳ２００：Ｙｅｓ）、制御部１０８は、カーソル画像５の表示位置を設定するとともに（ステップＳ２０１）、表示設定リストの作成を行う（ステップＳ２０２）。
【００７０】
次に、制御部１０８は、自己の投影領域４０に主画像１１を投影させるとともに（ステップＳ２０３）、同投影領域４０にカーソル画像５を投影表示させる（ステップＳ２０４）。そして、制御部１０８は、取得した画像データ群に含まれる副画像１２の画像データをスレーブプロジェクタとして動作している他のプロジェクタに有線ＬＡＮを介して送信する（ステップＳ２０５）。
【００７１】
一方、ステップＳ２００において、端末装置２から取得した画像データ群が未投影でないとき、すなわち、各プロジェクタが画像投影中であるとき（ステップＳ２００：Ｎｏ）、制御部１０８は、端末装置２からマウス操作情報を受信したか否かを判定する（ステップＳ２０６）。この処理において、端末装置２からマウス操作情報を受信したと判定すると（ステップＳ２０６：Ｙｅｓ）、制御部１０８は、カーソル移動位置情報送信処理を行う（ステップＳ２０７）。この処理は、図９におけるステップＳ２５０〜２５４までの処理であり、後述する。
【００７２】
ステップＳ２０７のカーソル移動位置情報送信処理を終えると、制御部１０８は、取得したマウス操作情報がマウスのクリック操作を示すものであるか否かを判定する（ステップＳ２０８）。この処理において、取得したマウス操作情報がマウスのクリック操作を示すものであると判定したとき（ステップＳ２０８：Ｙｅｓ）、制御部１０８は、表示設定リストの更新を行う（ステップＳ２０９）。すなわち、制御部１０８は、クリック操作を示すマウス操作情報を取得したときにカーソル画像５を投影しているプロジェクタ１に主画像１１が投影され、当該プロジェクタ１が投影していた画像が、主画像１１を投影していたプロジェクタ１から投影されるように表示設定リストの更新を行う。
【００７３】
次に、制御部１０８は、表示設定リストの更新によって、自己の投影領域４０に投影されている画像が変更されるか否かを判定する（ステップＳ２１０）。この判定は、ステップＳ２０９の処理によって、表示設定リストが更新されたか否かにより判定される。この処理において、自己の投影領域４０に投影されている画像が変更されると判定すると（ステップＳ２１０：Ｙｅｓ）、制御部１０８は、表示設定リストに基づき投影画像の更新を行う（ステップＳ２１１）。
【００７４】
ステップＳ２１１の処理を終えたとき、或いは、ステップＳ２１０において、自己の投影領域４０に投影されている画像が変更されないとき（ステップＳ２１０：Ｎｏ）、制御部１０８は、表示設定リストの更新によって投影画像が更新されることとなるプロジェクタ１に対して、投影すべき画像を有線ＬＡＮを介して送信する（ステップＳ２１２）。
【００７５】
一方、ステップＳ２０８において、取得したマウス操作情報がマウスのクリック操作を示すものでないとき（ステップＳ２０８：Ｎｏ）、制御部１０８は、端末装置２から画像データ群を新たに受信したか否かを判定する（ステップＳ２１３）。この処理において、端末装置２から画像データ群を新たに受信したと判定したとき（ステップＳ２１３：Ｙｅｓ）、制御部１０８は、表示設定リストの更新を行う（ステップＳ２１４）。すなわち、制御部１０８は、新たな画像データ群の各画像データを取得したときにカーソル画像５を投影しているプロジェクタ１に主画像１１が投影され、当該プロジェクタ１が投影していた画像が、主画像１１を投影していたプロジェクタ１から投影されるように表示設定リストの更新を行う。
【００７６】
次に、制御部１０８は、表示設定リストに基づいて、投影画像の更新を行うとともに（ステップＳ２１５）、各プロジェクタに対して投影すべき画像を有線ＬＡＮを介して送信する（ステップＳ２１６）。
【００７７】
ステップＳ２０５、Ｓ２１２、Ｓ２１６の処理を終えたとき、或いは、ステップＳ２１３において、端末装置２から画像データ群を新たに受信していないとき（ステップＳ２１３：Ｎｏ）、制御部１０８は、マスタ処理を終了する。
【００７８】
次に、ステップＳ２０７におけるカーソル移動位置情報送信処理について、図９を用いて具体的に説明する。
【００７９】
図９に示すように、カーソル移動位置情報送信処理を開始すると、制御部１０８は、受信したマウス操作情報に基づいて、カーソル画像５の移動位置を算出し（ステップＳ２５０）、算出したカーソル画像５の移動位置の情報に基づきカーソル表示位置設定の更新を行う（ステップＳ２５１）。
【００８０】
次に、制御部１０８は、更新したカーソル表示位置設定を参照して、カーソル移動位置が自己の投影領域４０内であるか、或いは、自己の投影領域４０からカーソル画像が移動したかを判定する（ステップＳ２５２）。この処理において、カーソル移動位置が自己の投影領域４０内であるか、或いは、自己の投影領域４０からカーソル画像が移動したと判定すると（ステップＳ２５２：Ｙｅｓ）、制御部１０８は、カーソル表示位置設定に基づきカーソル画像５の表示を更新する（ステップＳ２５３）。
【００８１】
ステップＳ２５３の処理を終えたとき、或いは、ステップＳ２５２において、カーソル移動位置が自己の投影領域４０内でなく、自己の投影領域４０からカーソル画像５が移動していないとき（ステップＳ２５２：Ｎｏ）、制御部１０８は、カーソル表示位置設定に基づくカーソル移動位置の情報を有線ＬＡＮを介して各スレーブプロジェクタへ送信する（ステップＳ２５４）。ここで、カーソル移動位置の情報を各スレーブプロジェクタに送信するのは、例えば、カーソル画像５がプロジェクタ１ｃの投影領域４０ｃからプロジェクタ１ｂの投影領域４０ｂに移動した場合、プロジェクタ１ｃに対して、カーソル画像５がプロジェクタ１ｃの投影領域４０ｃ内に存在しなくなったことを通知する必要があるためである。
【００８２】
ステップＳ２５４の処理を終えたとき、制御部１０８は、カーソル移動位置情報送信処理を終了する。
【００８３】
次に、ステップＳ１０３におけるスレーブ処理について、図１０を用いて具体的に説明する。図１０は本実施形態におけるスレーブ処理フローチャートである。
【００８４】
図１０に示すように、スレーブ処理フローチャートを開始すると、制御部１０８は、マスタプロジェクタからカーソル移動位置の情報を受信したか否かを判定する（ステップＳ３００）。この処理において、マスタプロジェクタからカーソル移動位置の情報を受信したと判定すると（ステップＳ３００：Ｙｅｓ）、制御部１０８は、処理をステップＳ３０１に移行する。
【００８５】
ステップＳ３０１において、制御部１０８は、カーソル移動位置が自己の投影領域４０内であるか、或いは、自己の投影領域４０からカーソル画像が移動したかを判定する。この処理において、カーソル移動位置が自己の投影領域４０内であるか、或いは、自己の投影領域４０からカーソル画像が移動したと判定すると（ステップＳ３０１：Ｙｅｓ）、制御部１０８は、取得したカーソル移動位置の情報に基づきカーソル画像５の表示を更新する（ステップＳ３０２）。
【００８６】
一方、ステップＳ３００において、マスタプロジェクタからカーソル移動位置の情報を受信していないとき（ステップＳ３００：Ｎｏ）、制御部１０８は、マスタプロジェクタから画像データを受信したか否かを判定する（ステップＳ３０３）。この処理において、マスタプロジェクタから画像データを受信したと判定すると（ステップＳ３０３：Ｙｅｓ）、制御部１０８は、受信した画像データに基づく画像を投影部１０７より投影する（ステップＳ３０４）。
【００８７】
ステップＳ３０２、Ｓ３０４の処理を終了したとき、又は、ステップＳ３０１において、カーソル移動位置が自己の投影領域４０内でなく、自己の投影領域４０からカーソル画像５が移動していないとき（ステップＳ３０１：Ｎｏ）、又は、ステップＳ３０３において、マスタプロジェクタから画像データを受信していないとき（ステップＳ３０３：Ｎｏ）、制御部１０８は、スレーブ処理を終了する。
【００８８】
以上詳細に説明したように、本実施形態にかかるプロジェクタシステムＳによれば、外部装置としての端末装置２から取得したマウス操作情報に基づいて、主画像１１を投影させるプロジェクタ１を切り替えることとしたため、ユーザは、主画像を投影するプロジェクタと副画像を投影するプロジェクタとの切り替え操作をカーソル画像の操作と関連付けて行うことができ、当該切り替え操作を容易に行うことができる。
【００８９】
特に、本実施形態にかかるプロジェクタシステムＳによれば、プロジェクタ１の画像データ処理部は、複数のプロジェクタ１のうち、主画像１１を投影させているプロジェクタの投影領域４０にカーソル画像５がないときに、カーソル画像５を投影しているプロジェクタから主画像１１を投影させ、残りのプロジェクタから副画像１２を投影させて、主画像１１を投影するプロジェクタ１の切り替えを行うこととしたため、ユーザは、主画像１１を投影するプロジェクタ１の切り替えをカーソル画像５の移動操作に基づき行うことができる。
【００９０】
さらに、プロジェクタ１の画像データ処理部は、所定の契機で、カーソル画像５を投影しているプロジェクタ１から主画像１１を投影させ、残りのプロジェクタから副画像１２を投影させて、主画像１１を投影するプロジェクタ１の切り替えを行うこととしたため、単にカーソル画像５を移動させたいとき等、ユーザの意図しない場合にまでプロジェクタの切り替えが行われることを防止することができる。
【００９１】
また、所定の契機を、プロジェクタ１の操作情報取得部により、マウスのクリック操作を示すマウス操作情報を取得したときとしたため、ユーザは、プロジェクタ１を切り替える前の確認ができる他、当該切り替えを任意のタイミングで行うことができ、当該切り替え操作の操作性を向上させることができる。
【００９２】
また、所定の契機を、新たな画像データ群の各画像データを投影部で投影するときとしたため、例えば、主画像１１を投影させたいプロジェクタ１の投影領域４０に予めカーソル画像５を位置させておくことにより、新たな画像データ群の各画像データを投影部で投影した際に、主画像１１を投影させたいプロジェクタ１の投影領域４０に初めから当該主画像１１が投影された状態とすることができる。
【００９３】
ここで、上述したマスタ処理においては、マウスのクリック操作を示すマウス操作情報を取得したとき、或いは、端末装置２から新たな画像データ群を取得したときに、主画像１１を投影するプロジェクタ１を切り替えることとしたが、これに代えて、マウスのクリック操作を示すマウス操作情報を取得したときには、表示設定リストの更新のみを行い、端末装置２から新たな画像データ群を取得したときに、当該表示設定リストに基づいて主画像１１を投影するプロジェクタ１を切り替えることとしてもよい。以下、かかる場合におけるマスタ処理について、図１１を用いて具体的に説明する。なお、図１１におけるステップＳ４００〜４０９までの処理は、図８のステップＳ２００〜２０９までの処理と同様であるため、その説明を省略する。
【００９４】
ステップＳ４０９の処理を終えたとき、制御部１０８は、図８のステップＳ２１０〜Ｓ２１２までの処理を行なわずにマスタ処理を終了する。
【００９５】
一方、ステップＳ４１０において、制御部１０８は、端末装置２から画像データ群を新たに取得したか否かを判定する（ステップＳ４１０）。この処理において、端末装置２から画像データ群を新たに取得したと判定すると（ステップＳ４１０：Ｙｅｓ）、制御部１０８は、表示設定リストに基づき、投影画像の更新を行うとともに（ステップＳ４１１）、各スレーブプロジェクタに投影すべき副画像１２或いは主画像１１の画像データを有線ＬＡＮを介して送信する（ステップＳ４１２）。
【００９６】
ステップＳ４０５、Ｓ４０９、Ｓ４１２の処理を終えたとき、或いは、ステップＳ４１０において、端末装置２から画像データ群を新たに受信していないとき（ステップＳ４１０：Ｎｏ）、制御部１０８は、マスタ処理を終了する。
【００９７】
以上、本発明の実施の形態のうちのいくつかを図面に基づいて詳細に説明したが、これらは例示であり、当業者の知識に基づいて種々の変形、改良を施した他の形態で本発明を実施することが可能である。
【００９８】
例えば、本実施形態においては、複数のプロジェクタ１に対して端末装置２が１台接続されている場合、すなわち、マスタプロジェクタが１台のみ存在する場合について説明したが、マスタプロジェクタは複数存在してもよい。このような場合、プロジェクタ１のメイン処理を図１２に示すように変更すればよい。
【００９９】
すなわち、図１２に示すように、プロジェクタ１の電源スイッチ（図示せず）が押下されたとき、プロジェクタ１の制御部１０８は、通信経路３を介して通信可能な他のプロジェクタ１の探索を行う（ステップＳ５００）。
【０１００】
次に、制御部１０８は、スレーブ処理を行う（ステップＳ５０１）。この処理は、図１０におけるステップＳ３００〜３０４までの処理と同様である。
【０１０１】
次に、自己のプロジェクタ１に外部装置としての端末装置２から画像データ群が供給されているか否かを判定する（ステップＳ５０２）。この処理において、端末装置２から画像データ群が供給されていると判定すると（ステップＳ５０２：Ｙｅｓ）、制御部１０８は、マスタ処理を行う（ステップＳ５０３）。このマスタ処理は、図８のステップＳ２００〜２１４までの処理と同様であるが、ステップＳ２０７〜Ｓ２１０までの処理に関しては、自己が保有する画像データ群に基づく画像を投影しているときのみ行われる。すなわち、他のマスタプロジェクタが保有する画像データ群に基づく画像を投影している場合、制御部１０８は、ステップＳ２０７〜Ｓ２１０までの処理は行わず、マスタ処理を終了する。
【０１０２】
ステップＳ５０３の処理を終えたとき、或いは、ステップＳ５０２において端末装置２から画像データ群が供給されていないとき（ステップＳ５０２：Ｎｏ）、制御部１０８は、投影終了操作がなされたか否かの判定を行う（ステップＳ５０４）。この処理において、投影終了操作がなされていないとき（ステップＳ５０４：Ｎｏ）、制御部１０８は、処理をステップＳ５００に移行する。一方、投影終了操作がなされたと判定すると（ステップＳ５０４：Ｙｅｓ），制御部１０８は、メイン処理を終了する。
【０１０３】
このように、複数のプロジェクタ１に外部装置を接続させることも可能であるため、例えば、他の端末装置２の保有する画像データ群を投影させたい場合、当該他の端末装置２を接続する際に、既に接続されている端末装置２の接続を解除する必要がないため、当該接続作業を効率よく行うことができる。
【０１０４】
また、本実施形態においては、主画像１１を投影するプロジェクタ１の切り替えが行われる所定の契機を、操作情報取得部によりマウスのクリック操作を示すマウス操作情報を取得したとき、或いは、画像取得部により外部装置から新たに取得した画像データ群の各画像データを投影部１０７で投影するときとしたが、その他の所定の契機として、例えば、一定時間（例えば、１分間）経過する毎に、カーソル画像５を投影しているプロジェクタ１から主画像１１を投影させ、残りのプロジェクタから副画像１２を投影させて、主画像１１を投影するプロジェクタ１の切り替えを行うこととしてもよい。
【図面の簡単な説明】
【０１０５】
【図１】本実施形態にかかるプロジェクタシステムの概略的なシステム構成を示す図である。
【図２】本実施形態のプロジェクタシステムにおける、主画像を投影するプロジェクタが切り替わる様子を示した図である。
【図３】本実施形態におけるプロジェクタの構成図である。
【図４】本実施形態におけるプロジェクタに記憶される表示設定リストの一例を示す図である。
【図５】本実施形態におけるプロジェクタに規定される座標を示す図である。
【図６】本実施形態におけるプロジェクタのカーソル表示位置設定の一例を示す図である。
【図７】本実施形態におけるプロジェクタのメイン処理フローチャートである。
【図８】本実施形態におけるプロジェクタのマスタ処理フローチャートである。
【図９】本実施形態におけるプロジェクタのカーソル移動位置情報送信処理フローチャートである。
【図１０】本実施形態におけるプロジェクタのスレーブ処理フローチャートである。
【図１１】本実施形態におけるプロジェクタのマスタ処理フローチャートの変形例である。
【図１２】他の実施形態におけるプロジェクタのメイン処理フローチャートである。
【符号の説明】
【０１０６】
Ｓ    プロジェクタシステム
１    プロジェクタ
２    端末装置
３    通信経路
１１    主画像
１２    副画像
４０    投影領域
【図５】
2009087101.tif 000003
【図６】
2009087101.tif 000004
【図７】
2009087101.tif 000005
【図８】
2009087101.tif 000006
【図９】
2009087101.tif 000007
【図１１】
2009087101.tif 000008
【図１２】
2009087101.tif 000009
【図１】
2009087101.tif 000010
【図２】
2009087101.tif 000011
【図３】
2009087101.tif 000012
【図４】
2009087101.tif 000013
【図１０】
2009087101.tif 000014